【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
オキシトシン、その非ペプチドアゴニスト及び／又はそのアンタゴニストを用いて、ヒト被験体における社会的認知及び／又は行動に関する状態を調節するための供給装置であって、
被験体の第１の鼻腔にノーズピースを提供し、
２４ＩＵ未満のオキシトシン、その非ペプチドアゴニスト及び／又はそれらのアンタゴニストを、前記ノーズピースを介して、三叉神経によって刺激される鼻弁の後部の上部領域に投与するための供給ユニットを提供する
ことを含む供給装置。
【請求項２】
被験体が吐き出して被験体の口腔咽頭軟口蓋を閉鎖させるマウスピースを提供し、
任意選択的に、前記マウスピースが前記ノーズピースに流体的に接続され、それにより、呼気が前記マウスピースから前記ノーズピースを通って前記第１の鼻腔に供給され、
任意選択的に、前記呼気によって生成される空気流が、前記被験体の鼻の後端部の周りに、前記被験体の第２の鼻腔から供給される、
請求項１に記載の供給装置。
【請求項３】
オキシトシン、その非ペプチドアゴニスト及びそのアンタゴニストの投与の間に、前記ノーズピースを通って前記第１の鼻腔に気流を提供することを含み、
任意選択的に、（ｉ）前記気流は、呼気によって生成される空気流とは別個であり、又は、（ｉｉ）前記呼気によって生成された空気流が、前記被験体の鼻の後端部の周りに、前記被験体の第２の鼻腔から供給される、
請求項１に記載の供給装置。
【請求項４】
オキシトシン、その非ペプチドアゴニスト及び／又はそのアンタゴニストが液体として供給され、
任意選択的に、オキシトシン、その非ペプチドアゴニスト及び／又はそのアンタゴニストが液体スプレーとして供給される、
請求項１に記載の供給装置。
【請求項５】
オキシトシン、その非ペプチドアゴニスト及び／又はそのアンタゴニストが粉末として供給され、
任意選択的に、オキシトシン、その非ペプチドアゴニスト及び／又はそのアンタゴニストが粉末スプレーとして供給される、
請求項１に記載の供給装置。
【請求項６】
１５ＩＵ未満のオキシトシン、その非ペプチドアゴニスト及び／又はそのアンタゴニストが投与され、
任意選択的に、１２ＩＵ未満のオキシトシン、その非ペプチドアゴニスト及び／又はそのアンタゴニストが投与され、
任意選択的に、１０ＩＵ未満のオキシトシン、その非ペプチドアゴニスト及び／又はそのアンタゴニストが投与される、
請求項１に記載の供給装置。
【請求項７】
１ＩＵを超えるオキシトシン、その非ペプチドアゴニスト及び／又はそのアンタゴニストが投与され、
任意選択的に、２ＩＵを超えるオキシトシン、その非ペプチドアゴニスト及び／又はそのアンタゴニストが投与され、
任意選択的に、４ＩＵを超えるオキシトシン、その非ペプチドアゴニスト及び／又はそのアンタゴニストが投与される、
請求項１に記載の供給装置。
【請求項８】
前記第１の鼻腔内の前記鼻弁を拡張させる、請求項１に記載の供給装置。
【請求項９】
前記鼻弁は、少なくとも２０ｍｍ２の非拡張断面積から前記ノーズピースを挿入することによって拡張され、
任意選択的に、前記鼻弁は、少なくとも４０ｍｍ２の非拡張断面積から前記ノーズピースを挿入することによって拡張され、
任意選択的に、前記鼻弁は、少なくとも６０ｍｍ２の非拡張断面積から前記ノーズピースを挿入することによって拡張され、
任意選択的に、前記鼻弁は、少なくとも７０ｍｍ２の非拡張断面積から前記ノーズピースを挿入することによって拡張され、
任意選択的に、前記鼻弁は、少なくとも８０ｍｍ２の非拡張断面積から前記ノーズピースを挿入することによって拡張され、
任意選択的に、前記鼻弁は、少なくとも９０ｍｍ２の非拡張断面積から前記ノーズピースを挿入することによって拡張され、
任意選択的に、前記鼻弁は、少なくとも１００ｍｍ２の非拡張断面積から前記ノーズピースを挿入することによって拡張される、
請求項８に記載の供給装置。
【請求項１０】
前記鼻弁は、前記ノーズピースを挿入することによって、前記鼻弁の非拡張断面積の１．５倍の断面積を有するように拡張され、
任意選択的に、前記鼻弁は、前記ノーズピースを挿入することによって、前記鼻弁の非拡張断面積の１．７５倍の断面積を有するように拡張され、
任意選択的に、前記鼻弁は、前記ノーズピースを挿入することによって、前記鼻弁の非拡張断面積の２倍の断面積を有するように拡張される、
請求項８に記載の供給装置。
【請求項１１】
前記鼻弁は、少なくとも１００ｍｍ２の断面積を有するように前記ノーズピースを挿入することによって拡張され、
任意選択的に、前記鼻弁は、少なくとも１２０ｍｍ２の断面積を有するように前記ノーズピースを挿入することによって拡張され、
任意選択的に、前記鼻弁は、少なくとも１５０ｍｍ２の断面積を有するように前記ノーズピースを挿入することによって拡張され、
任意選択的に、前記鼻弁は、少なくとも１８０ｍｍ２の断面積を有するように前記ノーズピースを挿入することによって拡張され、
任意選択的に、前記鼻弁は、少なくとも２００ｍｍ２の断面積を有するように前記ノーズピースを挿入することによって拡張される、
請求項８に記載の供給装置。
【請求項１２】
前記ノーズピースは、前記鼻弁へと延びる先端を有し、前記鼻弁を拡張させるように作用する、請求項１記載の供給装置。
【請求項１３】
前記ノーズピースは、そこを通過する流路を設定するベース部と、少なくとも一部において前記ノーズピースの先端を提供し、サジタル方向において剛性を与えて前記先端に前記鼻弁の上部領域において肉質組織を開放させることを可能とし、これにより前記鼻弁の開放領域を拡大させるとともに、前記サジタル方向と直交する横方向に柔軟性を与えて前記鼻弁への前記先端の挿入を容易にする、前記ベース部の遠位端にある突出部と、を含むボディ部を備え、
任意選択的に、前記ボディ部は、プラスチック材料、任意にはアクリロニトリルブタジエンスチレン（ＡＢＳ）プラスチックから形成され、
任意選択的に、前記供給装置は、少なくとも前記突出部の周りに配置された外側ボディ部を更に備え、
任意選択的に、前記外側ボディ部は、弾性材料、任意にはゴム又はエラストマー材料で形成され、
任意選択的に、前記外側ボディ部が熱可塑性エラストマー（ＴＰＥ）から形成される、
請求項１２に記載の供給装置。
【請求項１４】
前記ベース部は、前記ベース部の表面が前記突出部から近接方向に傾斜するよう、前記ノーズピースの長手方向軸に関しテーパ状とされるか、又は傾斜した遠位端において実質環状表面を画定し、これにより、前記ベース部は突出部と対向する側の方が短くされる、請求項１３に記載の供給装置。
【請求項１５】
前記突出部が、前記ノーズピースの前記長手方向軸に対して実質的に平行でかつオフセットした関係で軸方向に延びる、請求項１３に記載の供給装置。
【請求項１６】
前記突出部は、平坦要素、任意にはブレード形状を有する平坦要素を備え、その前記サジタル方向の長さ（ｄ１）は、前記横方向の長さ（ｄ２）よりも大きい、請求項１３に記載の供給装置。
【請求項１７】
前記サジタル方向の長さ（ｄ１）が、前記横方向の平均長さ（ｄ２）の１．５倍であり、
任意選択的に、前記サジタル方向の長さ（ｄ１）が、前記横方向の平均長さ（ｄ２）の１．７倍であり、
任意選択的に、前記サジタル方向の長さ（ｄ１）が、横方向の平均長さ（ｄ２）の１．９倍であり、
任意選択的に、前記サジタル方向の長さ（ｄ１）が、横方向の平均長さ（ｄ２）の２倍である、
請求項１６に記載の供給装置。
【請求項１８】
前記突出部は、前記サジタル方向の長さ（ｄ１）が３ｍｍ未満、任意には２．５ｍｍ未満であり、及び／又は
前記突出部は、前記サジタル方向の長さ（ｄ１）が１．５ｍｍを超える、
請求項１６に記載の供給装置。
【請求項１９】
前記突出部は、前記横方向の長さ（ｄ２）が１．５ｍｍ未満、任意には１．２５ｍｍ未満であり、及び／又は
前記突出部は、前記横方向の長さ（ｄ２）が０．５ｍｍより大きく、任意には０．７５ｍｍより大きい、
請求項１６に記載の供給装置。
【請求項２０】
前記突出部は、主ボディ部と、前記主ボディ部の長さ（ｄ１）よりも前記サジタル方向に短い長さ（ｄ３）を有する先端部とを有し、任意的にはその内側のエッジに段差を有する、請求項１６記載の供給装置。
【請求項２１】
前記突出部は、その長手方向に沿ってテーパ状の横断面を有し、
その前記横方向の長さ（ｄ２）は、その遠位端に向かう方向における長手方向に沿った断面において減少する、請求項１６記載の供給装置。
【請求項２２】
前記投与が、単一供給又は複数供給で行われ、
任意選択的に、前記投与が、１日１回の投与又は１日２回の投与として行われる、
請求項１に記載の供給装置。
【請求項２３】
前記投与が、
オキシトシン、
非ペプチドオキシトシンアゴニスト、任意にはＷＡＹ-２６７、４６４、
オキシトシンアンタゴニスト、
デスグリシンアミドオキシトシン、又は
オキシトシンの類似体若しくは誘導体、任意にはカルベトシン若しくはデモキシトシン
の投与であり、
任意選択的に、前記投与が、ペプチド及び非ペプチドオキシトシンの両方の投与である、
請求項１に記載の供給装置。
【請求項２４】
前記投与が、鼻から脳への（Ｎ２Ｂ）輸送を提供することを目的とし、
任意選択的に、物質が、全身への供給の減少をもたらすように標的化される、
請求項１に記載の供給装置。
【請求項２５】
前記投与が、バソプレッシンの血漿濃度の２０％未満の変化を提供し、
任意選択的に、前記投与が、バソプレッシンの血漿濃度の１０％未満の変化を提供し、
任意選択的に、前記投与が、バソプレッシンの血漿濃度の５％未満の変化を提供し、
任意選択的に、前記投与が、バソプレッシンの血漿濃度の変化を実質的にもたらさない、
請求項１に記載の供給装置。